(57)【要約】【課題】ハーネスを交換する不正行為を防止する。【解決手段】ハーネス側コネクタ３６はコネクタ端子３７と操作軸３８を備えている。メイン制御基板３２には、コネクタ端子３７と接続されるコネクタ端子３９ａを有する基板側コネクタ３９と、操作軸３８が差し込まれる回転操作検出装置４０が設けられている。ハーネス３５をメイン制御基板３２に取付ける際は、コネクタ端子３７とコネクタ端子３９ａを接続し、操作軸３８を回転操作検出装置４０に差し込む。操作軸３８に行った規定の回転操作が回転操作検出装置４０により検出されると、ハーネス３５を介してメイン制御基板３２に送られる入賞検知信号が有効化される。【選択図】図３
2008041590.tif 000002
【特許請求の範囲】
【請求項１】
コネクタにより互いの回路を接続するコネクタ接続システムにおいて、
回転操作がなされる操作軸を設けた第１コネクタと、
前記第１コネクタが接続される第２コネクタと、
前記第１コネクタと前記第２コネクタとが接続された時に前記操作軸が差し込まれ、前記操作軸の回転操作を検出する回転操作検出手段と、
前記回転操作検出手段により検出される回転操作が規定の回転操作であるか否かを判定する判定手段と、
前記回転操作検出手段により検出された回転操作が、規定の回転操作でないと判定された時に異常を検知する異常検知手段を備えたことを特徴とするコネクタ接続システム。
【請求項２】
前記回転操作検出手段は、前記操作軸の回転方向及び回転位置を検出し、
前記判定手段は、回転方向ごとの回転位置が順番に決められた複数通りの回転操作を規定の回転操作として判定することを特徴とする請求項１記載のコネクタ接続システム。
【請求項３】
前記判定手段は、規定の回転操作がなされた後に前記操作軸の回転位置が変更されたことを契機として規定の回転操作が終了したことを判断することを特徴とする請求項２記載のコネクタ接続システム。
【請求項４】
前記異常検知手段は、規定の回転操作がなされた後に変更された前記操作軸の回転位置の変化を監視し、前記操作軸の回転位置が変化した時に異常を検知することを特徴とする請求項３に記載のコネクタ接続システム。
【請求項５】
前記操作軸はネジ部を有し、前記回転操作検出手段は前記ネジ部が螺合するネジ穴を有しており、前記ネジ部が前記ネジ穴に完全に螺合した時に前記操作軸の回転が伝達されることを特徴とする請求項１ないし４のいずれかに記載のコネクタ接続システム。
【請求項６】
前記異常検知手段により異常が検知された時に、前記第１コネクタと前記第２コネクタとの通信を無効にすることを特徴とする請求項１ないし５のいずれかに記載のコネクタ接続システム。
【請求項７】
前記異常検知手段により異常が検知された時に、異常の発生を報知する報知手段を備えたことを特徴とする請求項１ないし６のいずれかに記載のコネクタ接続システム。
【請求項８】
前記第１コネクタをハーネスの先端部に設け、前記第２コネクタ及び前記回転操作検出手段を回路基板に設けたことを特徴とする請求項１ないし７のいずれかに記載のコネクタ接続システム。
【発明の詳細な説明】
【技術分野】
【０００１】
本発明は、コネクタにより互いの回路を接続する遊技機のコネクタ接続システムに関する。
【背景技術】
【０００２】
パチンコ遊技機やスロットマシン等の遊技機は、遊技を行うためにパチンコ球やメダルを遊技媒体として使用し、遊技を行って所定の入賞条件を満たすと遊技媒体の払い出しを受けることができる。遊技媒体には一定の価値が与えられており、遊技によって獲得した遊技媒体は種々の景品と交換することができる。遊技機には、遊技の進行を管理する制御回路基板が設けられている。制御回路基板は、遊技のスタート操作や入賞の発生等を検知する検知信号が入力され、これらの検知信号に応じて電子抽選の当否判定信号や遊技媒体の払い出し信号等を出力する。制御回路基板は、遊技媒体の不正な取得を目的とした第三者による改造を防止するために、封印処理された保護ケースに収納されている。
【０００３】
最近では、制御回路基板を改造する代わりに、制御回路基板と遊技機各部を接続するハーネスを特殊なＩＣチップが埋め込まれた変造ハーネスと交換し、電気信号の書き換え等を行うことで不正に遊技媒体を取得する行為が問題になっている。この不正行為が遊技店の営業中に行われ、周囲に気付かれずにハーネスが交換されてしまうと、不正行為者と一般遊技客とを区別することができなくなり、不正行為の早期の発見が困難になる。
【０００４】
第三者によるハーネスの交換を防止する工夫として、特許文献１に記載された従来技術が知られている。この従来技術では、回路基板を収納するケースにハーネスを通す開口部が設けられ、ケースに収納された回路基板にはハーネスの先端部に設けられたコネクタが接続されている。回路基板に接続されたコネクタは、基板ケースの開口部から押し込まれるストッパ部材により固定される。このストッパ部材には、基板ケースの開口部に進入する時に弾性変形し、基板ケースの開口部を通過すると開口部よりも大きく広がる弾性片が形成されている。ハーネスを引き抜こうとする力が働くと、ハーネスのコネクタがストッパ部材により押さえられ、コネクタに押されたストッパ部材は基板ケースの内壁面に弾性片を押し付ける。ストッパ部材を基板ケースの開口部から引き抜くことはできないため、コネクタを引く抜くことも不可能であり、不正行為の発生を防止できる。
【特許文献１】特開２００５−３２３７２８号公報
【発明の開示】
【発明が解決しようとする課題】
【０００５】
しかしながら、上記従来技術では、第三者によるハーネスの交換を防止するためにハーネスの着脱が全く行えなくなるため、遊技店の従業員が遊技機の清掃やメンテナンスを行う時にハーネスが邪魔になる場合でもこれを退けることができないという不便な欠点がある。
【０００６】
本発明は、上記問題点を考慮してなされたものであり、ハーネスの着脱が可能であり、第三者による変造ハーネスへの交換を防止するコネクタ接続システムを提供することを目的とする。
【課題を解決するための手段】
【０００７】
上記目的を達成するために、本発明は、コネクタにより互いの回路を接続するコネクタ接続システムにおいて、回転操作がなされる操作軸を設けた第１コネクタと、前記第１コネクタが接続される第２コネクタと、前記第１コネクタと前記第２コネクタとが接続された時に前記操作軸が差し込まれ、前記操作軸の回転操作を検出する回転操作検出手段と、前記回転操作検出手段により検出される回転操作が規定の回転操作であるか否かを判定する判定手段と、前記回転操作検出手段により検出された回転操作が、規定の回転操作でないと判定された時に異常を検知する異常検知手段を備えたことを特徴とする。
【０００８】
前記回転操作検出手段は、前記操作軸の回転方向及び回転位置を検出し、前記判定手段は、回転方向ごとの回転位置が順番に決められた複数通りの回転操作を規定の回転操作として判定することを特徴とする。
【０００９】
前記判定手段は、規定の回転操作がなされた後に前記操作軸の回転位置が変更されたことを契機として規定の回転操作が終了したことを判断することを特徴とする。
【００１０】
前記異常検知手段は規定の回転操作がなされた後に変更された前記操作軸の回転位置の変化を監視し、前記操作軸の回転位置が変化した時に異常を検知することを特徴とする。
【００１１】
前記操作軸はネジ部を有し、前記回転操作検出手段は前記ネジ部が螺合するネジ穴を有しており、前記ネジ部が前記ネジ穴に完全に螺合した時に前記操作軸の回転が伝達されることを特徴とする。
【００１２】
前記異常検知手段により異常が検知された時に、前記第１コネクタと前記第２コネクタとの通信を無効にすることを特徴とする。
【００１３】
前記異常検知手段により異常が検知された時に、異常の発生を報知する報知手段を備えたことを特徴とする。
【００１４】
前記第１コネクタをハーネスの先端部に設け、前記第２コネクタ及び前記回転操作検出手段を回路基板に設けたことを特徴とする。
【発明の効果】
【００１５】
本発明によれば、操作軸を有する第１コネクタを第２コネクタに接続した時に、操作軸を用いて規定の回転操作を行うことで必要な情報を入力しなければならず、規定の回転操作の内容を知らない第三者がハーネスの抜き差しや交換を行うと異常が検知されるから、不正行為を直ちに発見でき、不正に遊技媒体を取得する行為を防止できる。また、遊技機の清掃やメンテナンス時にハーネスを取り外すことができ、ハーネスを取外した場合でも回転操作の内容を知りうる立場にある遊技店の従業員であればこれを元に戻すことが容易に行える。
【００１６】
また、回転方向ごとの回転位置が予め順番に決められた複数通りの回転操作を行わないと異常が検知されるようにしているから、推測で行われた回転操作が偶発的に正しい回転操作になることがなく、不正行為の見落としが発生することを防止できる。
【００１７】
また、決められた順番の回転操作がなされた後に回転位置が変更されないと異常が検知されるようにしているから、特定の回転位置で操作軸の操作が止められたまま放置されることを防止でき、第三者に規定の回転操作の一部が知られることを防止できる。
【００１８】
また、操作軸の最後の回転位置を記憶し、操作軸の回転位置が変化した時に異常を検知するから、無断でハーネスに触れようとする者を直ちに発見できる。
【００１９】
また、操作軸に設けられたネジ部が回転操作検出手段のネジ穴に螺合させるから、第１コネクタと第２コネクタを取外すには操作軸の回転位置を変化させなければならず、ハーネスが取り外される前に異常を検知できる。
【００２０】
異常が検知された時に、第１コネクタと第２コネクタとの通信を無効にするから、物理的に互いのコネクタを接続しても電気的な接続が有効にならず、ハーネスが交換されてもそれ以降は遊技が行えないから、一般の遊技客に紛れて不正行為者が遊技媒体を不正に取得することを防止できる。また、異常が検知された時に異常の発生を報知するから、周囲に気付かれずに不正行為を行うことが不可能になり、不正行為の発生を抑止する効果が得られる。
【００２１】
また、第１コネクタをハーネスの先端部に設け、第２コネクタを回路基板に設けることにより、ハーネス側のコネクタで回転操作を行えるから、回路基板を保護ケースに収納しても操作軸の回転操作を行う際に保護ケースが邪魔になることがなく、操作軸の回転操作を行い易くすることができる。
【発明を実施するための最良の形態】
【００２２】
図１において、パチンコ遊技機１０は、その前面に透明なガラス窓１１を有する前面扉１２を備えている。ガラス窓１１の後側には、遊技球が一球ずつ打ち出される遊技領域１３が設けられている。遊技領域１３にはアウト口と複数の入賞口が設けられている。遊技球が入賞口に入賞すると、決められた個数の遊技球が賞球として払い出される。
【００２３】
遊技領域１３の中央部には液晶表示装置（報知手段）１４が設けられている。液晶表示装置１４の下方には始動入賞口１５が設けられている。始動入賞口１５に遊技球が入賞すると、賞球の払い出しが行われ、乱数を用いた大当たり抽選が行われる。液晶表示装置１４は、例えば複数の同じ図柄が一列に揃うか否かによって大当たり抽選の結果を表示する。大当たりに当選すると、遊技球が入賞しやすい大入賞口に遊技球を入賞させることができ、多数の遊技球を獲得できる遊技を行うことができる。前面扉１２の上部には、スピーカ（報知手段）１６が設けられている。遊技が行われている間は、大当たりへの期待度を高める演出として、液晶表示装置１４には期待度に応じた演出画像が表示され、スピーカ１６から期待度を高める効果音が発せられる。
【００２４】
ガラス窓１１の下方には、遊技領域１３に打ち出される遊技球を発射装置に供給する供給皿１８が設けられている。供給皿１８の左側には、賞球が払い出される賞球払い出し口１９が設けられている。供給皿１８の右下方には、遊技球を打ち出す際に操作され、遊技球を打ち出す強さを調節するためのハンドル２０が設けられている。
【００２５】
図２において、パチンコ遊技機１０の背面側には、賞球として払い出される遊技球を貯留する貯留皿２４が設けられている。貯留皿２４に貯留された遊技球は、賞球通路２５から賞球払い出し装置２６に送られる。賞球通路２５の下方には、液晶表示装置１４を保護するための保護カバー２７が設けられている。保護カバー２７の下方には、メイン基板収納ケース３０とサブ基板収納ケース３１が設けられている。
【００２６】
メイン基板収納ケース３０には、電子抽選や賞球の払い出し等を管理し、遊技の流れを制御する制御回路が構成されたメイン制御基板３２が設けられている。サブ基板収納ケース３１には、液晶表示装置１４に表示する演出用のグラフィック画像を記憶したメモリや、画像再生用の回路等を有するサブ制御基板３３が設けられている。メイン制御基板３２には、始動入賞口１５とその他の入賞口に遊技球が入賞した際に入賞検知信号を入力するためのハーネス３５が接続されている。
【００２７】
図３において、ハーネス３５の先端部にはハーネス側コネクタ（第１コネクタ）３６が設けられている。ハーネス側コネクタ３６は、雄型のコネクタ端子３７と回転自在な２本の操作軸３８とを有する。コネクタ端子３７は、メイン制御基板３２に設けられた基板側コネクタ（第２コネクタ）３９の雌型のコネクタ端子３９ａに接続される。メイン制御基板３２には、２本の操作軸３８がそれぞれ差し込まれる２つの回転操作検出装置（回転操作検出手段）４０が設けられている。操作軸３８には、略円柱状のつまみ部３８ａと平板部３８ｂとが設けられている。回転操作検出装置４０は、平板部３８ｂが挿入される長方形の挿入穴４０ａを有する。回転操作検出装置４０は、操作軸３８が回転操作されることで回転し、その回転方向及び回転位置を検出する。
【００２８】
図４において、つまみ部３８ａの上面３８ｃには、操作軸３８の回転方向に６０度ごとの均等な間隔で「１」〜「６」の番号が付された目盛り４２を有している。回転操作検出装置４０は、挿入穴４０ａ又はハーネス側コネクタ３６には操作軸３８の近傍に回転操作の基準となる目印４３を有している。操作軸３８は、例えば、左回りに「３」を目印４３に合わせた後、「３」から右回りに１８０度の「６」、「６」から左回りに３００度の「５」を順番に合わせる規定の回転操作がなされる。回転操作検出装置４０は、左に「３」、右に「６」、左に「５」の順番で回転方向ごとの回転位置を規定の回転操作として検出する。
【００２９】
図５において、メイン制御基板３２には、遊技プログラムが記憶されたＲＯＭ４５と、遊技プログラムを実行してパチンコ遊技機１０の電気的な動作を制御するメインＣＰＵ（判定手段、異常検知手段）４６と、遊技プログラムを実行した際に生じる演算データ等を記憶するＲＡＭ４７と、大当たり抽選を行う大当たり抽選部４８とが設けられている。入賞口センサ５０は、遊技領域１３に設けられた各入賞口に設けられている。遊技球が各入賞口に入賞すると、メイン制御基板３２のメインＣＰＵ４６に入賞口の種類に応じた入賞検知信号が、ハーネス３５を介してメイン制御基板３２に送られる。メインＣＰＵ４６は、入賞検知信号に基づいて入賞処理を実行する。入賞処理としては、賞球払い出し装置２６に所定数の賞球の払い出しを行う処理、始動入賞口１５に遊技球が入賞した時に大当たり抽選部４８に大当たり抽選を実行させる処理等がある。
【００３０】
回転操作検出装置４０により回転操作が検出された時、メインＣＰＵ４６には回転操作検出装置４０から回転検出信号が入力される。メインＣＰＵ４６は、コネクタ端子３７をコネクタ端子３９ａに取付けた時、すなわちハーネス３５をメイン制御基板３２に取付けた時に、検出された回転操作が規定の回転操作か否かを回転検出信号に基づいて判定する。メインＣＰＵ４６は、検出された回転操作が規定の回転操作であると判定した場合、始動入賞口１５等の入賞口からの入賞検知信号を有効な信号として入賞処理を実行する。また、検出された回転操作が誤った回転操作であると判定した場合、始動入賞口１５等の入賞口からの入賞検知信号を無効な信号として入賞処理を行わない。
【００３１】
ＲＡＭ４７は、回転操作検出装置４０の最終回転位置の情報を記憶する。回転操作検出装置４０の最終回転位置とは、回転操作検出装置４０に規定の回転操作が入力された後、操作軸３８をさらに操作して回転操作検出装置４０の回転位置を変更した最終的な回転位置を表す。上述した例で言えば、左に「３」、右に「６」、左に「５」の順番で規定の回転操作を行った後に、三番目の「５」以外の回転位置に操作軸３８を無作為に操作した時の回転位置を表す。メインＣＰＵ４６は、ハーネス３５がメイン制御基板３２に取付けられ、規定の回転操作が行われても、無作為の回転操作が最後に行われたことを契機に入賞処理を実行し、規定の回転操作のうち最終（三番目）の回転位置である「５」の位置のままでは入賞処理を実行しない。
【００３２】
サブＣＰＵ５２と、演出データＲＯＭ５３はサブ制御基板３３に設けられている。演出データＲＯＭ５３には、液晶表示装置１４に表示する演出用画像の画像データや、スピーカ１６から発する効果音の音声データ等の演出データと、大当たり抽選が行われた時にその当否の結果に応じて演出の種類を決定する演出決定プログラムが記憶されている。サブＣＰＵ５２は、遊技球が始動入賞口１５に入賞したことを検知した時にメインＣＰＵ４６から出力される演出決定信号を受けて演出決定プログラムを実行し、決定された演出の種類に応じて画像データと音声データを液晶表示装置１４とスピーカ１６にそれぞれ出力する。
【００３３】
演出データＲＯＭ５３には、パチンコ遊技機１０に異常が発生した場合に、液晶表示装置１４に表示する異常画像の画像データと、スピーカ１６から発せられる警告音の音声データが記憶されている。サブＣＰＵ５２は、メインＣＰＵ４６から異常信号を受信した時に、異常画像と警告音のデータを読み出し、液晶表示装置１４とスピーカ１６を用いて異常発生を報知する。
【００３４】
コネクタ検出部５５は、コネクタ端子３７がコネクタ端子３９ａに取付けられた際、コネクタ検知信号をメインＣＰＵ４６に出力し、コネクタ端子３７がコネクタ端子３９ａから取外された際にコネクタ非検知信号をメインＣＰＵ４６に出力する。バッテリ５６は、パチンコ遊技機１０の主電源がオフの時に、メイン制御基板３２に設けられているメインＣＰＵ４６とＲＯＭ４５とＲＡＭ４７とコネクタ検出部５５に電力を供給する。バッテリ５６は、パチンコ遊技機１０の主電源がオフの時もコネクタ端子３７の着脱を監視するために設けられている。
【００３５】
次に、ハーネス３５がメイン制御基板３２に取り付けられる際の流れについて説明する。図６において、ハーネス３５がメイン制御基板３２から取り外されている状態では、コネクタ検出部５５はコネクタ端子３７を検出できず、メインＣＰＵ４６にコネクタ非検出信号を出力する。ハーネス３５をメイン制御基板３２に取付ける際は、コネクタ端子３７をコネクタ端子３９ａに接続し、平板部３８ｂと挿入穴４０ａの位置を合わせて２つの操作軸３８を２つの回転操作検出装置４０に差し込む。コネクタ検出部５５はコネクタ端子３７を検出し、メインＣＰＵ４６にコネクタ検出信号を送る。
【００３６】
コネクタ検出信号を受けたメインＣＰＵ４６は、回転操作検出装置４０に規定の回転操作がなされるのを待機する。メインＣＰＵ４６は回転操作の入力を一定時間、例えば１分間待機する。コネクタ端子３７が接続されてから入力が行われずに一定時間が経過すると、正しい回転操作がなされなかったとしてメインＣＰＵ４６は異常を検知する。メインＣＰＵ４６は異常を検知すると、サブＣＰＵ５２に異常報知信号を送る。サブＣＰＵ５２は、液晶表示装置１４に異常画像を表示させ、スピーカ１６に警告音を発生させて異常を報知する。また、メインＣＰＵ４６は入賞検知信号を無効化し、入賞検知信号を受信しても賞球の払い出しや大当たり抽選等の入賞処理を行わない。
【００３７】
コネクタ端子３７を接続してから一定時間以内に２つの操作軸３８に回転操作を行うと、回転操作検出装置４０は回転操作を回転方向及び回転位置について検出し、メインＣＰＵ４６に回転操作情報を入力する。メインＣＰＵ４６は、回転操作情報に基づいて、２つの操作軸３８に規定の回転操作がなされたか否かを判定する。誤った回転操作がなされたと判定した場合、メインＣＰＵ４６はサブＣＰＵ５２に異常報知信号を送り、異常報知を実行させる。また、メインＣＰＵ４６は入賞検知信号を無効化する。
【００３８】
規定の回転操作がなされたと判定した場合には、メインＣＰＵ４６は規定の回転操作が終了した時の回転位置から回転操作検出装置４０の回転位置がさらに他の位置に変更されたか否かを判定する。規定の回転操作の終了後に無作為の回転操作が行われて変更された回転位置は最終回転位置情報としてＲＡＭ４７に記憶される。ＲＡＭ４７に最終回転位置情報が記憶されると、メインＣＰＵ４６はサブＣＰＵ５２に異常解除信号を送る。サブＣＰＵ５２は、異常報知を行っていた場合には液晶表示装置１４の異常画像の表示や警告音の発生を中止し、異常報知を解除する。また、メインＣＰＵ４６は入賞検知信号を有効化し、入賞検知時に賞球の払い出しや大当たり抽選を行わせ、パチンコ遊技機１０が遊技可能な状態になる。
【００３９】
コネクタ端子３７が正しく取付けられると、メインＣＰＵ４６はコネクタ端子３７を監視する。コネクタ端子３７が取外されたことが検知されると、メインＣＰＵ４６はＲＡＭ４７に記憶された最終回転位置情報の記憶を消去し、規定の回転操作がなされた履歴をリセットする。すなわち、一度取り外されたコネクタ端子３７が直ぐにコネクタ端子３９ａに接続されても、規定の回転操作を再度行わない限り異常が検知される。また、メインＣＰＵ４６は、ＲＡＭ４７に記憶された最終回転位置情報に基づいて回転操作検出装置４０の回転位置を監視し、コネクタ端子３７が取り外されなくても操作軸３８が動かされた時に異常を検知する。これにより、ハーネス３５をメイン制御基板３２から取り外そうとして操作軸３８が動いた時に異常が報知される。また、規定の回転操作の手順を知らない第三者がハーネス３５を取外すと、これを取付けて元に戻そうとしても異常の報知が中止されず、不正行為の発生が直ちにわかる。
【００４０】
なお、上記実施形態の回転操作検出装置４０は、操作軸３８の回転操作から回転方向と回転位置を検出しているが、規定の回転操作として操作軸の回転数のみを検出するようにしてもよい。例えば、図７において、ハーネス側のコネクタに設けられた操作軸６０は、つまみ部６１とネジ部６２を有している。回転操作検出装置６５は、操作軸６０のネジ部６２が螺合するネジ穴６６を有する回転部６７を備えている。回転操作検出装置６５は、フォトセンサ７０とフォトセンサ７１を備えており、回転部６７に設けられた突起６９がフォトセンサ７０及びフォトセンサ７１を通過することによって回転部６７の回転を１８０度ごとに検出する。回転部６７の下方には、一定回転数の操作がなされるごとに押圧される押圧スイッチ７２が設けられている。
【００４１】
操作軸６０には、ガイド溝７３が形成されている。操作軸６０を支持するコネクタ側の軸穴７４にはガイド溝７３に嵌合する突起７５が形成されている。突起７５は、操作軸６０を軸方向にスライド移動させるガイドとしての作用と、操作軸６０が１回転するごとに操作軸６０をクリック止めするストッパとして作用とを有する。操作軸６０のネジ部６２を回転部６７のネジ穴６６に嵌め込むと、操作軸６０の回転操作によって回転部６７を回転させることができる。操作軸６０は、規定の回転数に基づく回転操作と、規定の回転数ごとに操作軸６０を押圧する押圧操作がなされる。例えば、操作軸６０を４回転させた後に１回の押圧操作を行い、次に操作軸６０を２回転させて１回の押圧操作を行い、さらに操作軸６０を３回転させて１回の押圧操作を行うことで、４回転、２回転、３回転の順番で回転数情報が入力される。
【００４２】
決められた順番で規定の回転数に応じた回転操作を行うと、入賞検知信号の有効化や異常の解除が実行され、誤った回転操作を行うと異常報知が行われる。コネクタの着脱を行うためには、操作軸６０を回転させてネジ部６２をネジ穴６６に取り付ける、又は取り外す必要があるため、コネクタの着脱に時間がかかり、不正行為者が周囲に気付かれずにハーネスを交換することが困難になる。
【００４３】
なお、本発明は、上述の実施形態のようにパチンコ遊技機に適用することに限定されず、スロットマシン等の他の遊技機に適用することが可能である。また、上記実施形態においては、回転操作検出装置に対して誤った回転操作を行うと、コネクタを介して伝達された電気信号に基づく動作を取り消すようにしているが、この他に、電気信号の伝達を遮断するようにしてもよい。また、本発明をパチンコ遊技機に適用した場合は、操作軸に規定の回転操作が行われなかった場合に、遊技球の発射を無効にすることで遊技そのものを行うことを不能にしてもよい。
【図面の簡単な説明】
【００４４】
【図１】パチンコ遊技機の正面側斜視図である。
【図２】パチンコ遊技機の背面側斜視図である。
【図３】回路基板とハーネスを示す斜視図である。
【図４】操作軸の上面図である。
【図５】パチンコ遊技機の概略構成を示すブロック図である。
【図６】コネクタの取付け時、及び取外し時における処理の流れを示すフローチャートである。
【図７】回転操作検出装置の他の実施形態を示す斜視図である。
【符号の説明】
【００４５】
１０  パチンコ遊技機
１４  液晶表示装置（報知手段）
１５  始動入賞口
１６  スピーカ（報知手段）
２６  賞球払い出し装置
３０  メイン基板収納ケース
３２  メイン制御基板
３５  ハーネス
３６  ハーネス側コネクタ（第１コネクタ）
３７  コネクタ端子
３８  操作軸
３８ａ  つまみ部
３８ｂ  平板部
３９  基板側コネクタ（第２コネクタ）
３９ａ  コネクタ端子
４０  回転操作検出装置（回転操作検出手段）
４２  目盛り
４３  目印
４５  メインＣＰＵ（判定手段、異常検知手段）
４６  ＲＯＭ
４７  ＲＡＭ
４８  大当たり抽選部
５０  入賞口センサ
５３  演出データＲＯＭ
５５  コネクタ検出部
５６  バッテリ
６０  操作軸
６１  つまみ部
６２  ネジ部
６５  回転操作検出装置（回転操作検出手段）
６６  ネジ穴
６７  回転部
６９  突起
７０，７１  フォトセンサ
７２  押圧スイッチ
７３  ガイド溝
７４  軸穴
７５  突起
【図１】
2008041590.tif 000003
【図２】
2008041590.tif 000004
【図３】
2008041590.tif 000005
【図４】
2008041590.tif 000006
【図５】
2008041590.tif 000007
【図６】
2008041590.tif 000008
【図７】
2008041590.tif 000009